(57)【要約】      （修正有）【課題】従来育苗及び定植の過程で必要だった多くの労働力を大きく減少させることができるイチゴの育苗及び定植の方法を提供する。【解決手段】イチゴの母株１２を残しておいてイチゴの株を抜き取る段階、イチゴの母株１２の周囲の土に母株１株当たり２個以上の個別の育苗ポット１０を押し植え、ランナー方式によって育っているイチゴの子苗１３をポットに移し植え段階、育苗ポット１０でイチゴの子苗１３の発根と活着が成熟した時ポット１０を土から抜き上げて、そのポット１０から子苗１３を抜き上げた後、そのまま子苗１３の根をポット１０の位置に入れて子苗１３を定植する段階、イチゴの母株１２の抜き取り及び/又はランナーカットをする段階からなる方法とする。【選択図】図１
2015015949.tif 000002
【特許請求の範囲】
【請求項１】
イチゴの収穫が終わったイチゴの株を抜き取る過程で、イチゴの母株を残しておいてイチゴの株を抜き取る段階と、
イチゴの母株の周囲に母株一株当たり２個以上の育苗ポットを植えるが、育苗ポットの上部開口部の一部のみ土の中に入るように植え、育苗ポットを植える前又は後にイチゴの子苗を育苗ポットに移し植える段階と、
定植１０〜２０日前にランナーをカットする段階と、
育苗ポットを除去して育苗ポットの位置に子苗を定植する段階とを備えたことを特徴とする個別育苗ポットを使用した元の位置における育苗及び定植の方法。
【発明の詳細な説明】
【技術分野】
【０００１】
本発明は、個別の育苗ポットを使用する元の位置における育苗及び定植の方法に関するもので、より詳しくは、イチゴの栽培地において、イチゴの母株を残しておき、イチゴの株を抜き取る段階、イチゴの母株周囲に母株１株当たり２〜１０個の個別育苗ポットを土に押して植えるが、育苗ポットを植える前又は後にランナー（runner）繁殖によって発生したイチゴの子苗をポットに移して植える段階、定植１０〜２０日前である８月初めの母株から伸びるランナーをカットして母株を抜く段階、及びランナーをカットしてから１０〜２０日が過ぎた８月中旬から末頃に育苗ポットを除去し、その位置に子苗を定植する段階からなることを特徴とする個別育苗ポットを使用した元の位置における育苗及び定植の方法に関するものである。
【０００２】
本発明は、上部の開口部が斜めの育苗ポットを使用し子苗に水分と栄養分の供給を制限することで、ストレスを受けさせ花芽分化を旺盛に起こるようにするだけでなく、従来イチゴ苗を育苗場において育苗し、その苗を再び温室ハウスに移し植えていたことを温室ハウス内のイチゴの母株をそのまま使用して、母株の周囲に個別ポットを植えて、イチゴを育苗し定植し単純化することで人手を大きく減らすことができるイチゴの栽培方法である。
【背景技術】
【０００３】
イチゴは２５度以下の涼しい気候を好む多年草果実で何ら施設がないところできちんと熟すには５月以後になるが、最近はほとんど温室ハウスで栽培し１１月以後にイチゴの収穫が可能となった。
【０００４】
温室ハウスの栽培を通し、春にイチゴを収穫した後６月初めから育苗に入り、８月中旬頃から花芽分化させて定植すれば、１１月のイチゴの収穫が可能である。
【０００５】
１１月のイチゴ収穫のために気温が高い夏季の露地にイチゴを植えると、花の分化が起こりにくい。そこで、育苗場で生育を制限する育苗を通して子苗にストレスを与えることで花芽を分化させるようになった。
【０００６】
先行技術として、大韓民国特許出願第１０−２０１０−０１２３７３８号（２０１０年１２月６日出願）に、苗を育苗する育苗場で一つの板に１０個以上対称で同一形状の育苗ポットが形成された育苗ポット板を使用してイチゴの母株から伸びるランナーから発生する子苗を育苗する栽培方法が公開されている。
【０００７】
このような従来の育苗場の育苗と定植は、母株を育苗場へ移し植え、再び育苗場で子苗を施設栽培地へ移し植えなければならない等、人手が多く要求される作業であった。農村の人手不足の現状況において、これはイチゴ農業に携わる人々には大変な苦労の他ならない。
【０００８】
従って、人手が多く必要な育苗及び定植の方法を改善し、子苗の花芽分化を旺盛に発生させると同時に人手が少なくてもいい育苗及び定植の方法が求められている。
【発明の概要】
【発明が解決しようとする課題】
【０００９】
本発明は、育苗ポットを改良して育苗場がなくても、花芽分化が旺盛にできるようにしながら、従来育苗及び定植の過程で必要だった多くの労働力を大きく減少させることができるイチゴの育苗及び定植の方法を提供することを課題とする。
【課題を解決するための手段】
【００１０】
このような課題を達成するために、本発明は春に収穫が終わった温室ハウス内のイチゴの株を全て除去せず、一部を母株としてそのまま残しておく。残された母株から伸びるランナーによっての周囲に新たな子苗が多数育つようになる。このような子苗がある程度成長するようになる６月初めから母株１株当たりその周囲に少なくとも２個以上、例えば２個以上１０個以下の育苗ポットを植えて、育苗ポットを植える前又は後に育苗ポットに子苗を移し植える。
【００１１】
図２で示したように、育苗ポットは上部楕円形の開口部が上から下に傾斜をなしている円錐形の構造と類似し、下の先端には水孔が１つ以上形成されている。育苗ポットを植える時、楕円形の開口部の低い部分が土にそっと埋まるように植えて、高い部分は外側に出るようにする。このように植える理由は、上から水と栄養分を撒水するようになると土の表面において土に埋まったポットの低い部分を通してだけポットに流入されるようにすることで、イチゴの生育を制限しながら育苗しようとするものである。仮に露地のように水と栄養分が十分に供給されれば、花芽分化は起こらない。
【００１２】
上端開口部を斜めに形成することの他にも、上端開口部の縁に１個以上の溝を形成することができ、また開口部の縁に１個以上の孔を形成することができる。入口の縁に溝や孔を形成することは、開口部を斜めに形成することと同様にポット内の子苗に水と栄養分の供給を制限することで、ストレスを与え、花芽を分化させるためのものである。
【００１３】
育苗ポットで母株とランナーによって繋がった状態で、生育の制限を受けながら成長した子苗は８月初め頃に母株と繋がったランナーが切られ、母株は抜かれる。この時から子苗は激しいストレスを受けながら自立し始めるようになり、ランナーを切ってから１０〜２０日が過ぎると子苗から花芽分化が起こるようになる。花芽分化が起こる８月中旬から末頃の間に定植をすることになる。本発明において定植は簡単な作業である。従来のように種苗場から子苗を移して一つずつ植えるのではなく、育苗ポットを抜いて除去し、育苗ポットの位置に子苗を入れて植える。育苗ポットを抜いた位置は、子苗の絡まった根が丁度入ることができる形状をしている。
【００１４】
本発明は、イチゴの収穫が終わったイチゴの株を抜き取る過程で、イチゴの母株を残してイチゴの株を抜き取る段階、イチゴの母株の周囲に母株１株当たり少なくとも２個以上、例えば２個以上１０個以下程度の育苗ポットを植えるが、育苗ポットの上部開口部の一部のみ土に入るように植えて育苗ポットを植える前又は後にイチゴの子苗を育苗ポットに移し植える段階、定植１０〜２０日前にランナーをカットする段階、及び育苗ポットを除去して育苗ポットの位置に子苗を定植する段階からなることを特徴とする個別育苗ポットを使用した元の位置における育苗及び定植の方法に関するものである。
【００１５】
また、本発明は先端から長さが異なるように斜めに形成され、縁に取っ手が形成されている楕円形の模様の開口部、１個以上の水孔が形成されている先端、及び上部開口部と下部の先端との間の胴体に３個以上のプラスチック育苗ポットの構造を強化するための３個以上の強化溝が形成されたことを特徴とする元の位置における育苗及び定植をための育苗ポットに関するものである。
【発明の効果】
【００１６】
本発明は、個別育苗ポットを使用して子苗の生育を制限することで、花芽分化が起こるようにする効果があり、また育苗場で育苗していた従来のイチゴの育苗手順をなくして、温室ハウス内で残しておいたイチゴの子苗を用いて、その隣に育苗ポットを植えて育苗と定植をすることで人手を大きく減らすことができる効果がある。
【図面の簡単な説明】
【００１７】
【図１】本発明の施設内栽培地で個別育苗ポットを使用したイチゴの育苗の現場写真である。
【図２】本発明の個別育苗ポットの斜視図である。
【発明を実施するための形態】
【００１８】
図１は、本発明の個別育苗ポットを使用したイチゴの育苗写真である。図１において、温室ハウス内のイチゴ栽培地に収穫後のイチゴの株を除去しながら一部の母株（１２）が残されていて、その周囲に多数の子苗（１３）がランナー（１５）に繋がって育苗ポット（１０）内に植えられている。６月初め頃から育苗ポット（１０）に子苗を移し植える。子苗を移し植える際には、育苗ポット（１０）に子苗を入れてから育苗ポット（１０）を土に植えてもよいし、育苗ポット（１０）を土に植えてから子苗を育苗ポット（１０）内に移してもよい。
【００１９】
子苗が成長するようになり育苗ポット（１０）内で子苗の根が互いに絡まって、後の定植のために子苗を育苗ポット（１０）から抜いても根がほどかれず、ポット内部での形状のまま維持する。
【００２０】
８月初め頃になると母株（１２）から子苗（１３）に繋がったランナーをカットする。母株（１２）をカットした後１０〜２０日が過ぎると子苗から花芽分化が発生する。花芽分化が発生する８月中旬から末の間に育苗ポットを除去してその位置に子苗を定植する。このように形成された花芽は実をつけ、１１月のイチゴ収穫が可能になる。
【００２１】
図２は本発明で使用される育苗ポットの斜視図である。育苗ポット（１０）の楕円形の開口部は、上下傾斜があるため、高い方の部分が土から露出した状態で、低い方の一部が土の中に埋まるように育苗ポット（１０）を埋めることができる。育苗ポット（１０）をこのように埋めることで、撒水される水と栄養分が土の表面を流れ、土に埋まった開口部の縁の一部にだけポットに流入する。このように、育苗ポット（１０）は、水と栄養分供給を制限して苗にストレスを与え花芽分化を可能にするものである。育苗ポット（１０）の先端部分（２５）にも１個以上の水孔（２８）が形成されていて、側面に３個以上の補強溝（２９）が形成されている。育苗ポット（１０）は全体的に逆円錐の形態であり、上端楕円形の開口部（２０）は上から下に傾斜をなしていて、入口の高い方に取っ手（２２）が形成されている。このような育苗ポット（１０）を使用する本発明のイチゴの育苗及び定植の方法は８月に花芽分化を旺盛に誘導しながら従来育苗場で育苗していたものに比べ、人手を少なくできる画期的な改善されたイチゴの栽培方法である。
【符号の説明】
【００２２】
１０              育苗ポット
１２              母株
１３              子苗
１５              ランナー
２０              開口部
２２              取っ手
２５              先端部分
２８              水孔
２９              補強溝
【図２】
2015015949.tif 000003
【図１】
2015015949.tif 000004